(57)【要約】【課題】ライトストラテジーデータが登録されていない光ディスクに対して適正な書き込み条件を求める。【解決手段】ディスクＩＤを取得する手段と、設定された複数のデフォルトのストラテジーデータの各々についてＯＰＣを行い、最適レーザパワーと、記録ピット長のばらつきを検出したジッタエラーピット検出数（エラーパルス数）または再生データエラーレート（例えばＣＤにおけるエラー訂正符号のＣ１エラー）を得る手段と、得られたジッタ情報又はエラーレート情報を基に１つのデフォルトのストラテジーデータを選択する手段と、ディスクＩＤ、前記選択されたデフォルトのストラテジーデータ及び書き込み時の倍速を記録する手段とを設ける。【選択図】  図１
2004246956.tif 000002
【特許請求の範囲】
【請求項１】
ディスクＩＤを取得する手段と、設定された複数のディスクＩＤが未登録のディスク用のストラテジーデータの各々についてＯＰＣを行い、最適レーザパワーと、ジッタ情報又はエラーレート情報を得る手段と、得られたジッタ情報又はエラーレート情報を基に複数の前記ストラテジーデータから一つのストラテジーデータを選択する手段と、ディスクＩＤ、前記選択されたストラテジーデータ及び書き込み時の倍速を記録する手段とを備えることを特徴とする光ディスク装置。
【請求項２】
請求項１記載の光ディスク装置において、前記選択されたストラテジーデータにおける最適パワーのパルスの立ち上がり、又は立下りのタイミングを変化させて、光ディスクに記録する手段を備えることを特徴とする光ディスク装置。
【請求項３】
請求項２記載の光ディスク装置において、前記最適パワーのパルスの立ち上がり、又は立下りのタイミングを変化させて、誤り率又はエラーレート情報が最小となるタイミングを求め、メモリに記録することを特徴とする光ディスク装置。
【請求項４】
請求項１記載の光ディスク装置において、前記選択手段は、前記ストラテジーデータを、（１）ピットが適当に形成されるパワーの範囲内で、誤り率又はエラーレート情報の平均が最小で、且つ所定のしきい値以下になるストラテジーデータ、（２）所定のβ値の範囲内で、誤り率又はエラーレート情報が最小で、且つ所定のしきい値以下になるストラテジーデータ、（３）ピットが適当に形成されるパワーの範囲内で、誤り率又はエラーレート情報が最小となるストラテジーデータの順に選択することを特徴とする光ディスク装置。
【請求項５】
リードイン又はリードアウト情報から、ディスクＩＤを取得するステップと、登録されているライトストラテジーデータがない場合、登録されている、複数のディスクＩＤが未登録のディスク用のストラテジーデータである未登録ディスク用ストラテジーデータの各々に対してＯＰＣを行い、ジッタ情報又はエラーレート情報を用いて、前記未登録ディスク用ストラテジーデータから最善の未登録ディスク用ストラテジーデータを選択するステップと、前記ディスクＩＤ、前記選択された前記未登録ディスク用ストラテジーデータをメモリに記憶するステップとを備えることを特徴とする記録条件設定方法。
【請求項６】
請求項５記載の記録条件設定方法において、前記未登録ディスク用ストラテジーデータから、最善の前記未登録ディスク用ストラテジーデータを選択するステップは、（１）ピットが適当に形成されるパワーの範囲内で、誤り率又はエラーレート情報の平均が最小で、且つ所定のしきい値以下になる前記未登録ディスク用ストラテジーデータ、（２）ピットが適当に形成されるパワーの範囲内で、誤り率又はエラーレート情報が最小で、且つ所定のしきい値以下になる前記未登録ディスク用ストラテジーデータ、（３）ピットが適当に形成されるパワーの範囲内で、誤り率又はエラーレート情報が最小となる前記未登録ディスク用ストラテジーデータの順に選択することを特徴とする記録条件設定方法。
【請求項７】
請求項５記載の記録条件設定方法において、前記最善の未登録ディスク用ストラテジーデータにおける最適パワーのパルスの立ち上がり、又は立下りのタイミングを変化させて、誤り率又はエラーレート情報が最小となるタイミングを求め、メモリに記録するステップを設けることを特徴とする記録条件設定方法。
【請求項８】
請求項６記載の記録条件設定方法において、（２）又は（３）の条件に該当する前記未登録ディスク用ストラテジーデータが選択された場合、前記未登録ディスク用ストラテジーデータにおける最適パワーのパルスの立ち上がり、又は立下りのタイミングを変化させて、誤り率又はエラーレート情報が最小となるタイミングを求め、メモリに記録するステップを設けることを特徴とする記録条件設定方法。
【発明の詳細な説明】
【０００１】
【発明の属する技術分野】
本発明は光ディスク装置及び記録条件設定方法に係り、特にデフォルトのストラテジーを登録していないディスクに対する適正な書き込み条件を求める技術に関する物であり、本発明はＣＤ−Ｒ／ＲＷディスクに応用して好適である。
【０００２】
【従来の技術】
光ディスク等の媒体にレーザ光を照射してデータの記録を行う装置が各種実現されている。例えば、コンパクトディスク（ＣＤ）方式のディスクやＤｉｇｉｔａｌ  Ｖｅｒｓａｔｉｌｅ  Ｄｉｓｃ（ＤＶＤ）と呼ばれるディスクなどに、記録すべきデータによって変調されたレーザ光を照射し、データを記録する装置がある。
レーザ光によりデータ記録を行う場合には、例えば特開２０００−２５１２５４号公報に記載されているように、レーザ光のパワー、具体的には、記録パワーや消去パワーが適切な値に設定されていなければならない（例えば、特許文献１参照）。このために、通常、記録装置では、ＯＰＣ（オプティマムパワーコントロール）と呼ばれる最適レーザパワーの判別動作が行われる（例えば特許文献２及び３）。このＯＰＣ動作は、ディスク上に用意された試し書き領域（テスト領域）に対してレーザパワーを変化させながらレーザ照射を行って試し書きを行い、その試し書き部分の再生情報の品質（例えばジッタ情報、エラーレート情報、アシンメトリ情報等）を監視することで、最適なレーザパワーを判別する動作となる。このようなＯＰＣ動作により、記録時に最適なレーザパワーによる記録動作が実現できる。
【０００３】
しかしながら、試し書き領域は有限であり、例えばＣＤ−ＲにおいてはＯＰＣを１００回行うだけの領域が存在する。ＣＤ−Ｒは追記型記録媒体であり、９９トラックから構成されている。１トラック１回分のＯＰＣ領域は確保されているが、トラックを分割して追記を行ういわゆるパケットレコーディングにおいては１００回以上の記録動作を行うことになるため、ＯＰＣも１００回以上行う必要があるが、１００回以上の追記動作においてはＯＰＣ領域が不足するため、ＯＰＣ動作を行わずに記録することになる。この場合、温度等の環境条件や追記する装置の記録特性の差異により、ＯＰＣ動作を行って記録されたデータよりも品質が落ちてしまう。またオーバーラート可能な記録媒体でも、ＯＰＣ領域を繰り返し書き換えると記録特性が変化し、データ記録領域の記録特性と差異が生じ、ＯＰＣとしての役割が失われる恐れがある。
【０００４】
ストラテジーデータが登録されていない光ディスクに書き込みを行う場合、予め用意された固定の条件、即ち、ディスクＩＤが未登録のディスク用のストラテジーデータ（以下、デフォルトのストラテジーデータ又はデフォルトデータという）で書き込みを行う方法がある。しかしながらデフォルトデータが書き込み対象となるストラテジーデータが未登録の光ディスクに対して、必ずしも適した条件とは限らず、最悪の場合、書き込んだデータすら読み出すことができないことが起こりえる。
【０００５】
【特許文献１】
特開２０００−２５１２５４号公報
【特許文献２】
特開２００２−２３０７６９号公報
【特許文献３】
特開平１１０−７６４５号公報
【０００６】
【発明が解決しようとする課題】
ところが、用意された固定のデフォルトデータでＯＰＣを行って、最適記録レーザパワーをもとめただけではジッタやエラーレートが予め定められているしきい値以下になるとは限らない。
【０００７】
本発明の目的はこれらの欠点を解決し、ＯＰＣによって求めた記録レーザパワーに対してより適正な書き込み条件をもめることことができる記録条件設定技術を提供することにある。
また、本発明の他の目的は得られた記録条件を、光ディスク装置の電源をオフからオンにした後でも、得られた記録条件を反映することができる光ディスクの記録技術を提供することにある。
【０００８】
【課題を解決するための手段】
本発明の目的を達成するために、第１の発明では、光ディスク装置は、ディスクＩＤを取得する手段と、デフォルトデータの各々についてＯＰＣを行い、最適レーザパワーと、ジッタ情報又はエラーレート情報を得る手段と、得られたジッタ情報又はエラーレート情報を基に複数の前記デフォルトデータから一つのデフォルトデータを選択する手段と、ディスクＩＤ、前記選択されたデフォルトのストラテジーデータ及び書き込み時の倍速を記録する手段とを備える。
第２の発明では、第１の発明において、前記最適パワーのパルスの立ち上がり、又は立下りのタイミングを変化させて、誤り率又はエラーレート情報が最小となるタイミングを求め、メモリに記録する。
第３の発明では、第１の発明における前記選択手段は、前記デフォルトのストラテジーデータを、（１）ピットが適当に形成されるパワーの範囲内で、誤り率又はエラーレート情報の平均が最小で、且つ所定のしきい値以下になるストラテジーデータ、（２）ピットが適当に形成されるパワーの範囲内で、誤り率又はエラーレート情報が最小で、且つ所定のしきい値以下になるストラテジーデータ、（３）ピットが適当に形成されるパワーの範囲内で、誤り率又はエラーレート情報が最小となるストラテジーデータの順に選択する。
【０００９】
第４の発明では、記録条件設定方法は、リードイン又はリードアウト情報から、ディスクＩＤを取得するステップと、ディスクＩＤが登録されているライトストラテジーデータがない場合、登録されている、複数のデフォルトデータの各々に対してＯＰＣを行い、ジッタ情報又はエラーレート情報を用いて、前記複数のデフォルトデータから最善のストラテジーデータを選択するステップと、前記ディスクＩＤ、前記選択された前記未登録ディスク用ストラテジーデータをメモリに記憶するステップとを備える。
【００１０】
【発明の実施の形態】
以下、本発明の実施の形態について、実施例を用い、図を参照して説明する。
図１は本発明による光ディスク装置の第１の実施例を示すブロック図である。本発明の光学的情報記録再生装置に装填される光ディスク１としては、例えば、ＣＤ−Ｒ、又はＣＤ−ＲＷなどのＣＤ方式のディスクや、ＤＶＤ（ＤＩＧＩＴＡＬ  ＶＥＲＳＡＴＩＬＥ  ＤＩＳＣ）と呼ばれるディスクなどが考えられる。他の種類の光ディスクに対応した記録装置でも本発明は適用できるものである。光ディスク１はスピンドルモータ４により所定の回転数で回転している。レーザパワー制御回路６で所定の発光パワーに制御されたレーザ光は光ピックアップ２から出射される。光ピックアップ２はスレッド機構３および光ピックアップ制御回路９で制御されるため、レーザ光は光ディスク１の所定の位置に集光される。光ディスク１からの反射光により、光ディスク１に記録された情報を検出することができる。検出した情報からは再生データであるＲＦ信号と、ＣＤ−ＲやＣＤ−ＲＷではＡＴＩＰ、ＤＶＤ−ＲやＤＶＤ−ＲＷではＬＰＰ、ＤＶＤ＋ＲやＤＶＤ＋ＲＷではＡＤＩＰ、ＤＶＤ−ＲＡＭではＰＩＤとなる位置情報であるアドレス信号と、光ピックアップ制御用のフォーカスエラー信号とトラッキングエラー信号であるサーボ誤差信号とが得られる。ＲＦ信号は再生信号復調回路１１に入力される。再生信号復調回路１１はデータ二値化信号生成回路、ＰＬＬ回路及びデコーダが含まれており、再生（リード）時（ＯＰＣリード時）は二値化信号のＳＹＮＣの位置、立ち上がり又は立下りのタイミングによってＰＬＬ回路で同期を取っている。また、ＲＦ信号は、アドレス情報はアドレス情報復調回路１４に入力され、サーボ誤差信号はサーボ用信号検出回路８に入力される。アドレス情報復調回路１４では、ウォブル信号を読み取る。また、ディスクのＩＤ（リードイン）もここで読み取る。光ピックアップ制御回路９はサーボ用信号検出回路８から得られたサーボ誤差信号を装置制御回路１２からの指令に従ってフィルタ処理などを施し、光ピックアップ２を制御し光ディスク１の所定の位置にレーザ光を集光させる。ＲＦ信号は再生信号復調回路１１で復調され、装置制御回路１２に入力される。
【００１１】
エラーパルス検出回路２１は再生信号復調回路１１から得られたＰＬＬ回路にて同期を取ったクロックと二値化信号とを比較することによって、記録ピット長のばらつきを検出したジッタエラーピット検出数（以下エラーパルス数という）を生成する。このエラーパルスは装置制御回路１２に入力され、エラーパルス数がカウントされる。本実施例では、エラーパルス数の変わりに、再生データエラーレート、例えばＣＤにおけるエラー訂正符号のＣ１エラーを計測してもよい。このエラーパルス数やＣ１エラーはジッタ情報又はエラーレート情報に相当する。
データ記録は装置制御回路１２からの指令により光ピックアップ制御回路９で光ピックアップ２を制御し、記録する光ディスク１の所定の位置にレーザ光を集光させる。そして記録データは装置制御回路１２から変調回路７に送られ、光ディスク１に記録するのに適したデータに変換され、記録データに応じてレーザ発光強度を変化させてディスク１にデータを記録する。
【００１２】
ＯＰＣ情報検出回路１３は記録パワーを可変しながら記録を行っている時とそのようにして記録を行った領域を再生する時の光ディスクからの反射光を電気信号に変換し、検出する回路である。
例えば、光ディスクがＣＤ−Ｒの場合、このＯＰＣ情報検出回路１３は再生時には記録時におけるランドとピットからの反射光を電気信号に変換し、その直流分を除いた信号のマークのレベルをＡ２、スペースのレベルをＡ１とすると、次式で定義される値、β値（又はアシンメトリ値）を得る。
β＝（｜Ａ１｜−｜Ａ２｜）／（｜Ａ１｜＋｜Ａ２｜）
図において、第１のメモリ１７には既知のストラテジーデータ及びｎ個（例えば１０個）のディスクＩＤが未登録のディスク用のストラテジーデータ（以下、デフォルトのストラテジーデータ、又はデフォルトデータという）を記憶する。また、第２のメモリ１６は、例えば不揮発性のメモリであり、本発明によって求められえたストラテジーデータが記憶される。また、１９は演算器である。
【００１３】
本実施例において、装置制御回路１２からの指令によって、スピンドルモータ４が回転され、スレッド機構４によって光ピックアップがディスクの径方向に移動され、レーザパワー制御回路６の出力によって、光ピックアップ２に含まれているレーザ光源のレーザの発光を制御して、再生用のレーザパワーする。また、光ピックアップ制御回路９の出力によって、フォーカス及びトラッキングを制御して再生状態にする。予め光ディスクに記録されているリードイン又はリードアウト情報をアドレス情報復調回路から読み取ってディスクＩＤを取得する。装置制御回路１２はこのディスクＩＤを受け取り、第２のメモリ１６に格納されているライトストラテジーデータを検索する。検索がヒットした場合には、装置制御回路１２はそのストラテジーデータレーザパワー制御回路６にセットし、データを記録し、ＯＰＣを行う。
第２のメモリに格納されているストラテジーデータが検索されなかった場合、従来は第１のメモリ１７に格納されているデフォルトのストラテジーデータをレーザパワー制御回路６に設定してレーザ源を駆動して、ＯＰＣを行っているが、本実施例ではデフォルトのストラテジーデータをｎ個（例えば、１０個）用意する。この用意したｎ個のデフォルトデータのそれぞれについてＯＰＣを行う。ＯＰＣを行っている間に、エラーパルス検出回路２１から出力されるエラーパルスの数を装置制御回路１２でカウントする。エラーパルス数をカウントする代わりに再生データエラーレート、例えばＣＤにおけるエラー符号のＣＩエラーを測定してもよく、エラーパルス数や再生データエラーレートは記録の品質を判定するデータと言える。
ｎ個のデフォルトデータでＯＰＣを行った結果を、エラーパルス数をカウントした結果を基に評価し、装置制御回路１２で一番適正のあるデフォルトデータを選択し、記録する。この場合、ディスクＩＤと、一番適正のあるデフォルトデータ（又は、そのインディクス番号）、記録倍速を第２のメモリ１６に格納する。次に、同じディスクが入ってきた時には、このデータにてＯＰＣを行う。
【００１４】
エラーパルス数から適正なデフォルトデータを選択するには、以下の（１）〜（３）の順に選択する（以下、デフォルトデータ選択順位という。）。なお、エラーパルスについては、別途説明する。
（１）ＯＰＣ情報検出回路１３で得られたピットが適当に形成されるパワーの範囲、例えば、ＣＤ−Ｒにおけるβ値の範囲とエラーパルス検出回路２１で検出されたエラーパルスをカウントして得たエラーパルス数から、ピットが適当に形成されるパワーの範囲内で、エラーパルス数の平均が最小で、且つ所定のしきい値以下になるデフォルトデータを選択する。
（２）上記（１）に該当するデフォルトデータがない場合、ピットが適当に形成されるパワーの範囲内で、エラーパルス数が最小で、且つ所定のしきい値以下になるデフォルトデータを選択する。
（３）上記（１）、（２）に該当するデフォルトデータがない場合、ピットが適当に形成されるパワーの範囲内で、エラーパルス数が最小となるデフォルトデータを選択する。
【００１５】
上記の選択手段において、（１）及び（２）に該当するデフォルトデータがない場合、デフォルトデータの中でエラーパルス数が一番少ないデフォルトデータ（３）を基にＯＰＣで求めた記録レーザパワーについて、レーザパワーパルスの立ち上がりタイミングや立下りタイミングを可変にする。例えば、３Ｔ〜ｘＴのピット（ＰＩＴ）と３Ｔ〜ｘＴのランド（ＬＡＮＤ）間の立ち上がりの各タイミング、及び３Ｔ〜ｘＴのランドと３Ｔ〜ｘＴのピット間の立ち下がり各タイミングを上記ストラテジーパターンを基準に±ｙＴの範囲で数ステップ可変させる。このレーザパワーの立ち上がり、立ち下がりのタイミングの変化量をテーブルに記録しておき、これらのタイミングを用いたレーザパワーで記録を行い、エラーパルス数が最小となるストラテジーパターンを求める。立ち上がりタイミングまたは立下りタイミングを可変にしたデータはデータ領域以外、例えばＣＤ−ＲにおけるＰＣＡ領域、ＰＭＡ領域、最外周のリードアウトとなる領域の何れかに記録され、再生した結果、エラーパルス数が最小となるパターンを求める。また、このときの、ディスクＩＤ、デフォルトデータ、記録した時の倍速を第２のメモリ１６にも記録する。次に、同じディスクが装着された時にはこのデータを用いて記録し、ＯＰＣを行う。なお、前述のテーブルについては、後述する。
【００１６】
図２は複数のストラテジーパターンに対するβ値等のピットが適当に形成されるパワーの範囲とジッタまたはエラーレートに対する特性曲線である。図においては、３つのストラテジーパターンを設定し、各パターンについてＯＰＣを行い評価した結果を示しており、横軸にピットが適当に形成されるパワーの範囲、例えば、ＣＤ−Ｒにおける所定のβ値の範囲を、縦軸にジッタまたはエラーレートを示している。以下、エラーレート又はジッタについてはエラーパルス数で説明する。光ディスクがＣＤ−Ｒディスクの場合、ピットが適当に形成されるパワーの範囲が０〜８％の間は、エラーパルス数がしきい値を超えないようにすることが望ましい。１０１は第１のストラテジーパターンによるピットが適当に形成されるパワーの範囲（例えば所定のβ値の範囲）とエラーパルス数の特性曲線であり、１０２は第２のストラテジーパターンによるピットが適当に形成されるパワーの範囲（例えば、所定のβ値の範囲）とエラーパルス数の特性曲線であり、１０３は第３のストラテジーパターンによるピットが適当に形成されるパワーの範囲（例えば、所定のβ値の範囲）とエラーパルス数の特性曲線である。特性曲線１０１は全てのピットが適当に形成されるパワーの範囲に対してエラーパルス数はしきい値を超えており、３つのパターンの中で一番特性が悪い。特性曲線１０２はピットが適当に形成されるパワーの範囲が０〜８％の内の限られた範囲でエラーパルス数はしきい値より少ないが、他の範囲ではエラーパルス数はしきい値を超えて増加している。この特性曲線１０２の場合、ピットが適当に形成されるパワーの範囲０〜８％に対して記録レーザのパワーマージンが少ない。特性曲線１０３はピットが適当に形成されるパワーの範囲が０〜８％の内の略全域にわたってエラーパルス数はしきい値より少なく、ベストの特性を示している。
【００１７】
本実施例では、複数、例えば１０種類のストラテジーパターンを用意し、特性曲線１０３の特性が得られた場合にはそのストラテジーパターンを採用する。特性曲線１０３が得られず、特性曲線１０２が得られた場合にはこのストラテジーパターンを採用する。特性曲線１０２、１０３が得られず、特性曲線１０１しか得られない場合には、これを選択する。
また、図２では、ピットが適当に形成されるパワーの範囲として、例えば、β等と示したが、一般に、Ｒ系はベータを、ＲＷ系はγを用いている。しかしながら、横軸はピットがきちんと書けているか（反射率が適正か）が分かればどんパラメータでもよい。
【００１８】
次に、エラーパルス生成方法について、図３を用いて説明する。
図３はエラーパルス生成方法を説明するための信号波形図であり、図３（ａ）は図１の再生信号復調回路に含まれる二値化信号生成回路で生成された二値化信号、図３（ｂ）は再生信号復調回路で生成されるクロック、図３（ｃ）は二値化信号とウォブルクロックの位相差信号、図３（ｄ）は位相差信号を積分した信号、図３（ｅ）はエラーパルスを示す。二値化信号３０１とクロック３０２の位相差に応じて、位相差信号３０３が得られる。位相差信号３０３を積分すると、位相差信号の積分信号３０４が得られる。この積分信号３０４の内、所定のしきい値以上となる信号をエラーパルス３０５として生成する。このエラーパルス信号は装置制御回路１２に入力され、ここで所定セクタにおけるパルス数がカウントされる。
【００１９】
次に、複数のデフォルトのストラテジーデータから選ばれた一つのデフォルトのストラテジーデータに対して、更に、光ピックアップに含まれるレーザ光源をオン、オフするタイミングを制御し、より適正なストラテジーデータを得るための方法について説明する。
図４はレーザ光源のオン、オフのタイミングを示すタイミングパルスの波形図である。本実施例では、３Ｔピットから３Ｔランドに変化する場合に、立下りタイミングを変化する場合の例を示す。図において、Ｃは３Ｔピットで標準の位置であり、それに対して、立下りのタイミングをＡ、Ｂ、Ｄ、Ｅのようにずらして記録または再生を行う。ずらす量は例えば、０．２５Ｔとしてもよい。更に、３Ｔランドから３Ｔピットにおいても、その立ち上がりのタイミングを同様にずらしてもよい。また、組み合わせも、ピットとランド間、ランドとピット間の立ち下がりタイミングや立ち上がりタイミングを、３Ｔと３Ｔ、３Ｔと４Ｔ、３Ｔと５Ｔ、４Ｔと３Ｔ、４Ｔと４Ｔ等の種々の組み合わせに対して、ずらす量を設定する。これらのデータはテーブルとして設定してもよい。
【００２０】
図５はタイミングパルスのタイミング可変個所の設定を示すテーブルであり、図５（ａ）はピットの次にランドが来るタイミングパルスのテーブルを示し、図５（ｂ）はランドの次にピットが来るタイミングパルスのテーブルを示す。このテーブルにおいて、可変したい組合せのタイミング量を設定しておき、それぞれのタイミングについて記録または再生ＯＰＣを行って最適なタイミングを決める。
【００２１】
図６はデフォルトのストラテジーデータから適正なストラテジーデータを選択する処理動作の第１の実施例を示すフローチャートである。図において、ステップ６０１では、光ディスクのｌｅａｄ  ｉｎ（リードイン）又はｌｅａｄ  ｏｕｔ（リードアウト）情報からディスクＩＤを取得する。ステップ６０２で、ディスクＩＤをキーとして、第１のメモリ１１７、第２のメモリ１６を検索する。ステップ６０３で検索の結果ヒットしたか否かを判断する。ステップ６０３で、ヒットしない場合（Ｎの場合）、ステップ６０４で、用意された複数個（例えば１０個）のデフォルトのストラテジーデータ（以下、デフォルトデータという）を評価する。このために、ステップ６０５では、例えばｎ番目のデフォルトデータについてＯＰＣを行い、最適レーザパワー及びエラーパルス数（又はＣＩエラーでもよい）を取得する。ステップ６０６で全てのデフォルトデータについて、ＯＰＣを行い、最適パワー及びエラーパルス数を取得したか否かを判別する。全部のデフォルトデータについて、ＯＰＣを行わない場合（Ｎの場合）には、ステップ６０４に戻って、ＯＰＣを繰り返す。ステップ６０７で、エラーパルス数を基に、図１を用いて説明した、（１）〜（３）のデフォルトデータ選択順位にしたがって最適なデフォルトデータを選択する。ステップ６０８で、ディスクＩＤ、書き込み時の倍速と共に、選択されたデフォルトのストラテジーデータ（又はそのインデックス番号）をライトストラテジーデータとして第２のメモリ１６に記憶する。
ステップ６０３にて、ライトストラテジーがヒットした場合には、ヒットしたライトストラテジーデータでＯＰＣを行い、最適パワーを取得する。
【００２２】
図７はデフォルトのストラテジーデータから適正なストラテジーデータを選択する処理動作の第２の実施例を示すフローチャートである。なお、図において、図６と同じステップについては同一の符号を付し、その説明を省略する。
図６と比較して、図７のフローチャートでは、ステップ７０１、ステップ７０２が追加されている。図７では、ステップ６０７で、最適なデフォルトデータを選択した後、ステップ７０１では、ステップ６０７で求めた最適なデフォルトデータについて、レーザ光源をオン、オフするパルスの立ち上がり又は立下りのタイミング（図５のテーブルに記載されたタイミング）を可変し、ステップ６０５で求めた最適パワーにて光ディスクのＰＣＡ領域、ＰＭＡ領域又はディスクの最外周のリードアウト領域の何れかに記録し、再生した結果エラーパルスが最小となるパターンを求める。更に、これら複数の立ち上がり又は立下りのタイミングを可変したもので記録したところを再生して、エラーパルス数が最小となるタイミング（ストラテジーパターン）を決定し、これについてのデータを作成する。その後、前述のステップ７０２に移行し、ディスクＩＤ、選択されたライトストラテジー、書き込み倍速を第２のメモリ１６に記憶する。
【００２３】
図８はデフォルトのストラテジーデータから適正なストラテジーデータを選択する処理動作の第３の実施例を示すフローチャートである。なお、図において、図６、図７と同じステップについては同一の符号を付し、その説明を省略する。図において、ステップ８０１が新に設けられる。
ステップ６０７で、図１で説明した（１）〜（３）のデフォルトデータ選択順位に従って最適なデフォルトデータを選択する。ステップ８０１で、選択したデフォルトデータのエラーパルス数がデフォルトデータ選択順位の（１）に相当するか否かを判別する。即ち、ＯＰＣ情報検出回路１３で得られたピットが適当に形成されるパワーの範囲（例えば、ＣＤ−Ｒにおける所定のβ値の範囲）とエラーパルス検出回路２１で検出されたエラーパルスをカウントして得たエラーパルス数から、ピットが適当に形成されるパワーの範囲（例えば、ＣＤ−Ｒにおける所定のβ値の範囲）で、エラーパルス数の平均が最小で、且つ所定のしきい値以下になるデフォルトデータか否かを判別する。ステップ８０１で、デフォルトデータ選択順位（１）でない場合（Ｎの場合）、ステップ７０１で最適パワーの立ち上がり、立下りタイミングを可変にしてエラーパルス数が最小となるストラテジーパターンのデータを作成し、ステップ７０２に移行する。
ステップ８０１で、デフォルトデータ選択順位の（１）の場合、ステップ６０８に移行して、（１）を満たす（選択された）ライトストラテジーデータ（又はそのインディックス番号）、書き込み倍速を第２のメモリ１６に記憶する。
【００２４】
以上述べたように、本発明によれば、ライトストラテジーデータを登録していない光ディスクに対して、複数のデフォルトデータを評価して、適正な書き込み条件を得ることができる。
更に、選択されたデフォルトデータのレーザパワーについて、パルスの立ち上がり又は立下りタイミングを可変にしてＯＰＣを行いより適正な書き込み条件を設定することができる。
【００２５】
【発明の効果】
以上述べたように、本発明によれば、ライトストラテジーデータを登録していない光ディスクに対して、複数のデフォルトデータを設定し、これを評価して適正な書き込み条件を得ることができる。
【図面の簡単な説明】
【図１】本発明による光ディスク装置の第１の実施例を示すブロック図である。
【図２】複数のストラテジーパターンに対するβ値等のピットが適当に形成されるパワーの範囲とジッタまたはエラーレートに対する特性曲線である。
【図３】エラーパルス生成方法を説明するための信号波形図である。
【図４】レーザ光源のオン、オフのタイミングを示すタイミングパルスの波形図である。
【図５】タイミングパルスのタイミング可変個所の設定を示すテーブルである。
【図６】デフォルトのストラテジーデータから適正なストラテジーデータを選択する処理動作の第１の実施例を示すフローチャートである。
【図７】デフォルトのストラテジーデータから適正なストラテジーデータを選択する処理動作の第２の実施例を示すフローチャートである。
【図８】デフォルトのストラテジーデータから適正なストラテジーデータを選択する処理動作の第３の実施例を示すフローチャートである。
【符号の説明】
１…光ディスク、２…光ピックアップ、３…スレッド機構、４…スピンドルモータ、６…レーザパワー制御回路、７…変調回路、８…サーボ用信号検出回路、９…光ピックアップ制御回路、１１…ＲＦ信号は再生信号復調回路、１２…装置制御回路、１３…ＯＰＣ情報検出回路、１４…アドレス情報復調回路、１６…第２のメモリ、１７…第１のメモリ、１９…演算器、２１…エラーパルス検出回路。
【図１】
2004246956.tif 000003
【図２】
2004246956.tif 000004
【図３】
2004246956.tif 000005
【図４】
2004246956.tif 000006
【図５】
2004246956.tif 000007
【図６】
2004246956.tif 000008
【図７】
2004246956.tif 000009
【図８】
2004246956.tif 000010